(57)【要約】  方向性チャネル（１０５、１１０および１０６、１０９）内に挿入されてギヤ（１１１、１１２、および、１１３）に接続された支持ロッドを各々が有する２つの側方ブラシ（１０２、１０３）および上部ブラシ（１０１）と、  １または複数の動力によって発生された回転動作を前記ギヤ（１１１、１１２、および、１１３）に伝達する手段と、  長手方向軸の周りの１つの回転動作から、回転と、前記長手方向軸に垂直であって歯の長軸に平行な縦方向の振動の同時動作への動作変換メカニズムとを有し、  前記側方支持ロッドは、前記回転軸（１４０）に対して中心を外れた位置でそれぞれのギヤ（１３９）に接続されたそれぞれの後部を含み、  前記ギヤ（１３９）は、縦方向の振動動作に変換される円錐動作を前記側方ブラシ（１０２、１０３）に伝達する。
2018510720.tif 000002
【特許請求の範囲】
【請求項１】
回転および／または振動する動作を行う複数のブラシを有する歯を磨くための装置（１００）であって、
右支持ロッドの前部に配置された右側方ブラシ（１０２）であって、該右支持ロッドが右方向性チャネル（１０５、１１０）内部に挿入され、右ギヤ（１１１）に接続された後部を有する、該右側方ブラシ（１０２）と、
左支持ロッドの前部に配置された左側方ブラシ（１０３）であって、該左支持ロッドが左方向性チャネル（１０６、１０９）内部に挿入され、左ギヤ（１１２）に接続された後部を有する、該左側方ブラシ（１０３）と、
上部支持ロッドの前部に配置された上部ブラシ（１０１）であって、該上部支持ロッドが上部方向性チャネル内部に挿入され、上部ギヤ（１１３）に接続された後部を有する、該上部ブラシ（１０１）と、
電気的、機械的、又は、液圧タイプであり得る１つ以上のエンジンによって発生させた回転動作の前記左ギヤ（１１２）、前記右ギヤ（１１１）、および、前記上部ギヤ（１１３）への伝達手段を有し、
長手方向軸の周りの回転動作から、回転と、前記長手方向軸に垂直であって歯の長軸に平行な縦方向の振動の同時動作への動作変換メカニズムを有し、
前記左右の支持ロッドは、それぞれの前部（１３４）および後部（１３５）を有し、前記後部（１３５）の端（１３７）が、前記回転軸（１４０）に対して中心を外れた位置でそれぞれのギヤ（１３９）に接続され、
前記右方向性チャネル（１０５、１１０）および前記左方向性チャネル（１０６、１０９）は、まず収束した後に縦方向に延びる出口開口（１３１）に達するまで拡散（１３２）する円錐状の外形を有し、
前記ギヤ（１３９）の回転動作は、前記それぞれのロッドの前記後部（１３５）からの円錐動作を該ロッドの前記前部（１３４）における縦方向の振動動作に伝達し、
前記それぞれのロッドの前記前部（１３４）の前記縦方向の振動動作は、縦方向に延びる前記出口開口（１３１）から出る端部（１３６）で生じ、前記右側方ブラシ（１０２）および前記左側方ブラシ（１０３）にそれぞれ伝達されることを特徴とする装置。
【請求項２】
前記左右の支持ロッドは、代替として、それぞれの前部（１３４）および後部（１３５）を有し、該後部（１３５）の端（１３７）は前記回転軸（１４０）に対して中心の位置でそれぞれのギヤ（１３９）に接続され、
前記右方向性チャネル（１０５、１１０）および前記左方向性チャネル（１０６、１０９）は、節（１３３）に達するまでまず収束（１３８）した後に縦方向に延びる出口開口（１３１）に達するまで拡散（１３２）する外形を有し、
前記節（１３３）に位置する中央部において、前記前部（１３４）は前記後部（１３５）に対して湾曲し、
前記ギヤ（１３９）の回転動作は、前記それぞれのロッドの前記後部（１３５）からの回転動作を前記ロッドの前記前部（１３４）の縦方向の振動動作に伝達し、
前記それぞれのロッドの前記前部（１３４）の縦方向の前記振動動作は、縦方向に延びる前記出口開口（１３１）から出る端部（１３６）で生じ、前記右側方ブラシ（１０２）および前記左側方ブラシ（１０３）にそれぞれ伝達されることを特徴とする請求項１に記載の回転および／または振動する動作を行う複数のブラシを有する歯を磨くための装置（１００）。
【請求項３】
前記上部支持ロッドは、それぞれの前部（１３４）および後部（１３５）を有し、前記後部（１３５）の端（１３７）は、前記回転軸（１４０）に対して中心を外れた位置でそれぞれのギヤ（１３９）に接続し、
前記上部方向性チャネルは、まず収束した後に縦方向に延びる出口開口に達するまで拡散（１３２）する円錐状の外形を有し、
前記ギヤ（１３９）の回転動作は、前記それぞれのロッドの前記後部（１３５）からの円錐動作を、節（１３３）に結合された中央部分を介して、該ロッドの前記前部（１３４）での縦方向の振動動作に伝達し、
前記それぞれのロッドの前部（１３４）の縦方向の前記振動動作は、縦方向に延びる前記出口開口（１３１）から出る端部（１３６）での縦方向の振動動作として生じ、前記上部ブラシ（１０１）にそれぞれ伝達されることを特徴とする請求項１または請求項２に記載の回転および／または振動する動作を行う複数のブラシを有する歯を磨くための装置（１００）。
【請求項４】
前記装置（１００）が様々の人の歯のサイズに適応し、口腔の開口サイズに適用され得るように、
前記右側方ブラシ（１０２）と前記左側方ブラシ（１０３）との軸間距離は、適当な調整メカニズムを用いて適応可能であり、更に、上部ブラシ１０１と右側方ブラシ１０２または左側方ブラシ１０３との間の軸間距離もまた適当なメカニズムを用いて適応可能であることを特徴とする請求項１〜３のいずれかに記載の回転および／または振動する動作を行う複数のブラシを有する歯を磨くための装置（１００）。
【請求項５】
前記装置（１００）が異なるサイズの歯を容易に捕えることができ、その結果、より効果的な歯のクリーニング機能を生じることができるように、前記右側方ブラシ（１０２）および前記左側方ブラシ（１０３）は、それらの右方向性チャネル（１０５、１１０）および左方向性チャネル（１０６、１０９）にそれぞれ収容されたそれらの右支持ロッドおよび左支持ロッドそれぞれと共に、それらの長手方向軸に対して収束する方向に向けられ、
口内で小さい歯が大きい歯の後に続き、上記のメカニズム無しではブラシは小さな歯から遠ざけられるという事実に鑑みると、前記チャネルの柔軟性および該チャネルの軸の柔軟性が、それらを異なるサイズおよび形状に適応させることを可能にするので、該チャネルの収束は効果的であることを特徴とする請求項１〜４のいずれかに記載の回転および／または振動する動作を行う複数のブラシを有する歯を磨くための装置（１００）。
【請求項６】
装置１００が異なるレベルの処理を実行することができ、それ故に、歯のクリーニング機能において様々のレベルの効果を達成することができるように、前記右側方ブラシ（１０２）、左側方ブラシ（１０３）、および、上部ブラシ（１０１）は、１組の毛を有し、これらの毛は全てが同じ長さを有し、或いは、これらの一部が固定の長さを有して他は異なる長さを有し、該毛は、互いに９０度または互いに３０度の角度を成す列に従って配列され、或いは、隣接の列に対して固定角を成す列に従って配列され得ることを特徴とする請求項１〜５のいずれかに記載の回転および／または振動する動作を行う複数のブラシを有する歯を磨くための装置（１００）。
【請求項７】
前記装置（１００）が適切に動作し、同時に、口腔の内部の軟組織が前記装置（１００）の前記回転および／または振動するブラシから保護されて、軟組織がブラシに接触したり、ブラシを歯に押し付けたりすることにより、磨きメカニズムが影響を受けたり、失速したりすることが防止されるように、前記装置（１００）は、シールド（１０４）と呼ばれる放射状エレメントを更に有し、該シールド（１０４）は、前記右側方ブラシ（１０２）、前記左側方ブラシ（１０３）、および、上部ブラシ（１０１）の周囲に拡がり、また、開口した前部を有することを特徴とする請求項１〜６のいずれかに記載の回転および／または振動する動作を行う複数のブラシを有する歯を磨くための装置（１００）。
【請求項８】
前記装置の前記ロッドには急速で強い力が作用するが、振動を発生するのが同一の構造であり、したがって、付加的な部品が占める空間が存在しないので、該ロッドは最小限の空間を占め、前記独自の振動動作を口の内部の利用可能な小さい空間に適応させ、前記後部（１３５）の回転動作の前記前部（１３４）の振動動作への変換が効果的に成し遂げられるように、
前記右支持ロッド、前記左支持ロッド、および／または、前記上部支持ロッドは、例えば、高分子プラスチック材料またはハーモニック鋼のような、柔軟でかつ強い材料からなることを特徴とする請求項１〜７のいずれかに記載の回転および／または振動する動作を行う複数のブラシを有する歯を磨くための装置（１００）。
【請求項９】
前記複数のブラシの磨き動作が水平方向および縦方向において増強され、歯のクリーニング機能におけるより高いレベルの効果を達成することができるように、縦方向に延びる前記開口（１３１）は、前記ロッドの端部（１３６）の幅より大きい水平方向幅を有することができ、その結果、該端部（１３６）は、縦方向の前記振動動作に加えて、水平方向の振動動作を生じ、当該水平方向の振動動作が前記右側方ブラシ（１０２）および左側方ブラシ（１０３）に伝達されることを特徴とする請求項１〜８のいずれかに記載の回転および／または振動する動作を行う複数のブラシを有する歯を磨くための装置（１００）。
【請求項１０】
洗浄液および／または歯のホワイトニングのための物質を収容するための複数のタンクと、該装置の前側に前記液および／または前記物質を送る手段と、前記液および／または前記物質を指令に従って噴霧および／または押し出す手段とをさらに含み、
それにより、歯磨きに関して付加的な動作が提供され、該動作は前記洗浄液および／または前記ホワイトニング物質を含み、歯のクリーニング機能の更なる改善をもたらすことを特徴とする請求項１〜９のいずれかに記載の回転および／または振動する動作を行う複数のブラシを有する歯を磨くための装置（１００）。
【発明の詳細な説明】
【技術分野】
【０００１】
本発明は、複数のブラシからなるヘッド、好適には２つの側方ブラシおよび１つの上部ブラシからなるヘッドを有する歯を磨くための装置（歯ブラシ装置／歯磨き装置）に関する。特に、本発明は、上記の複数のブラシの回転およびそれと同時の縦方向（上下方向）の振動を可能にするメカニズムを有し、その結果、例えば、必要に応じてセメントエナメル境の下の部分にも達するように、門歯、犬歯、小臼歯、および、大臼歯を磨くことができる。
【背景技術】
【０００２】
知られているように、当該分野における現在の技術水準においては、一般に市販されている製品をはじめとし、歯科医の処置室で使われる、より先進の製品に到るまで、電気ブラシの多くのモデルが存在する。米国特許ＵＳ３５５１９３２は、その縦軸に関して回転するロッドの端部に配置された特有のブラシを含む電気的装置の最初の複数のモデルのうちの１つを開示している。電気動力が、ロッドおよび個々のブラシの回転動作を起動することを可能にする。複数のブラシを備える複数のモデルを参照して、米国特許ＵＳ７９９２２４４と同様に、カナダ特許ＣＡ２４６２４２２は、側方に並ぶように配置された２つの回転ブラシを有する装置を記述している。米国特許出願２００４／１４３９１７は、第２のブラシが第１のブラシの回転軸に関して僅かに傾斜した回転軸を有する、類似の対象物を記述している。或いは、欧州特許EＰ１０５９０４９は、互いに揃えられて側方に配置された３つのブラシを有する装置を開示している。
【発明の概要】
【発明が解決しようとする課題】
【０００３】
本発明の基礎となる考えは、特定の数のブラシをより多くの側に配置し、それらに、歯の表面上の回転摩擦以外に縦方向（これは、長手方向回転軸に垂直で、同時に、歯の長軸に平行であって、一般の電気歯ブラシにおけるような歯の長軸に垂直ではない）にも振動する動作をさせることによって、歯のクリーニングの動作における効果のレベルを上昇させることである。このようにすれば、一般の歯ブラシによっては到達することが通常難しい、歯のセメントエナメル境の下の部分に届くことができる。
【０００４】
歯の表面の摩擦によって、より多くの側で同時に歯のクリーニングを実行するために、本発明は、回転動作、および／または、回転軸に対して垂直で歯の軸に平行な振動動作を行う複数のブラシを有する装置を記述することを主な目的として提案することによって、先行技術の全ての欠点を解決する。上記の複数のブラシは、電気的、機械的、または、液圧タイプの動力で動かされ、長手方向軸に関する回転動作を、縦方向の振動動作へ変換するメカニズムが含まれる。特に、前記右側方ブラシおよび前記左側方ブラシの両方は、長手方向軸に関する回転動作と、それらの長手方向軸に対して垂直な縦方向の振動動作とを同時に行う。
【０００５】
他の１つの目的は、前記上部ブラシもまた、上記長手方向軸に対する回転動作と、それらの長手方向軸に対して垂直な縦方向の振動動作とを同時に行う実施形態を可能にすることである。
【０００６】
更に他の１つの目的は、前記複数の側方ブラシが歯のそれぞれの側部に当てられるように配置され、前記上部ブラシが歯の上側部分に配置されるようにして、上記の装置の前部を人の口腔内部へ挿入できるように、上記の装置における前記ブラシの幾何学的形状および構成を定めることである。
【０００７】
他の１つの目的は、歯のより効果的なクリーニング動作が実行され得るように、異なるサイズを有する歯を容易に捕えることを可能にする、前記ブラシにおける収束（convergence）のメカニズムを導入することである。
【０００８】
もう１つの目的は、前記右側方ブラシおよび前記左側方ブラシの両方がそれらの長手方向軸に関して収束する方向に向けられことである。その結果、上記の装置は、異なるサイズの歯を容易に捕えることを可能にし、従って、より効果的な歯のクリーニング動作を行うことができる。
【０００９】
更なる他の１つの目的は、前記複数のブラシが、全てが同じ長さを有する複数の毛を備えるか、または、一部が特定の長さを有し、他が異なる長さを有する複数の毛を備える。これらの複数の毛は、９０度または３０度を向いて列になり、或いは、１つが隣接する１つに対して他の任意の角度を向いている。
【００１０】
更に、本発明の１つの目的は、上記の装置の前記回転および／または振動するブラシから口腔内の軟組織を保護することである。
【００１１】
更なる１つの目的は、前記右側方ブラシおよび前記左側方ブラシの両方が、同時に、前記長手方向軸に関する回転動作と、それらの長手方向軸に対して垂直な縦方向の振動動作と、それらの長手方向軸に対して垂直な水平方向の振動動作とを行うことである。
【００１２】
最後に、もう１つの目的は、歯の洗浄作用の効果のレベルを更に上昇させるために、歯の上でのブラシの摩擦動作と共働して、洗浄液および／または処理物質を容れて、分配し、吐出する手段を更に有することである。
【課題を解決するための手段】
【００１３】
したがって、本発明の要旨は、回転および／または振動動作を行う複数のブラシを有する歯を磨くための装置であって、
右支持ロッドの前部に配置された右側方ブラシであって、該右支持ロッドが、右方向性チャネル内部に挿入され、右ギヤに接続された後部を有する、該右側方ブラシと、
左支持ロッドの前部に配置された左側方ブラシであって、該左支持ロッドが、左方向性チャネル内部に挿入され、左ギヤに接続された後部を有する、該左側方ブラシと、
上部支持ロッドの前部に配置された上部ブラシであって、該上部支持ロッドが、上部方向性チャネル内部に挿入され、上部ギヤに接続された後部を有する、該上部ブラシと、
電気、機械、または、液圧タイプであり得る１つ以上の動力によって発生された回転動作の、前記左ギヤ、前記右ギヤ、および、前記上部ギヤへの伝達手段を有し、
長手方向軸の周りの回転動作から回転と前記長手方向軸に垂直であって歯の長軸に平行な縦方向の振動の同時動作への動作変換メカニズムを有し、
前記左右の支持ロッドは、それぞれの前部および後部を有し、該後部の端が回転軸に関して中心を外れた位置において、それぞれのギヤに接続され、
前記右方向性チャネルおよび前記左方向性チャネルは、初めは収束し、その後、縦方向に長い出口開口に達するまで拡散（divergent）する円錐状の外形を有し、
前記ギヤの回転動作は、前記それぞれのロッドの前記後部から、該ロッドの前記前部における縦方向の振動動作へ向けられた円錐動作を伝達し、
前記それぞれのロッドの前記前部の前記縦方向の振動動作は、縦方向に延びる出口開口から出る端部で生じ、前記右側方ブラシおよび前記左側方ブラシに、それぞれ伝達されることを特徴とするものである。
【００１４】
ここで、提案された解決策は、先行技術に対して著しい進歩性を示していることを強調しておく。何故ならば、これが、歯の周囲の利用可能な小さい空間に適応可能な実際に唯一の装置であるからであり、また、前記チャンネルが、動作部分の前方において保護する機能、および、回転動作から（完全な洗浄のために必要である）振動動作への変換の機能の両方を有するからである。
【００１５】
前記振動動作が無ければ、幾つかの回転ブラシでは，（歯肉後退を有する歯を含む）複数の歯の全表面を磨くことは不可能であろう。何故ならば、それらが歯の横に配置するには大き過ぎるからであり、或いは、それらが全ての表面を磨くには小さ過ぎるからである。
【図面の簡単な説明】
【００１６】
本発明は、非限定的な複数の例によって、添付の図面を参照して、ここに記述される。
【図１】本発明による、歯を磨くための装置の右上部分の正面側斜視図である。
【図２】図１の歯を磨くための装置の左下部分の正面側斜視図である。
【図３】図１の装置の上面図である。
【図４】図１の装置の底面図である。
【図５】図１の装置の正面図である。
【図６】人の歯列における下側の弧の左側部分の近くにある、図１の装置の右上部分の正面側斜視図である。
【図７】人の歯列の下側の弧の左側部分に適用されたときの、図１の装置の右上部分の正面側斜視図である。
【図８】内部の構成部品を透視で示した、図１の装置の左上部分の正面側斜視図である。
【図９】図１の装置の側方ブラシに取り付けられた、長手方向回転動作を縦方向の振動動作に変換するメカニズムの概略図である。
【発明を実施するための形態】
【００１７】
以下では、考えられる多くの本発明の実施形態のうちの少数のみが記述されており、記述された実施形態は、単に何らかの特定の非限定的な例であり、本発明の開示された技術的な解決策に基づいて他の多くの実施形態を記述する可能性を有していることを強調しておく。
【００１８】
図１および図２は、本発明による、歯を磨くための装置１００を斜視図で示すものであり、右上部分および左下部分が示されている。また、図３、図４、および、図５においては、同じ装置１００が上面図、底面図、および、正面図で示されている。
【００１９】
装置１００は、回転および／または振動する動作を行う複数のブラシが設置される本体を有する。特に、この本体は、右方向性チャネル１０５、１１１、左方向性チャネル１０６、１０９、そして、上部方向性チャネルを更に含む。右方向性チャネル１０５、１１１内には右支持ロッドが挿入され、左方向性チャネル１０６、１０９内には左支持ロッドが挿入され、上部方向性チャネル内には上部支持ロッドが挿入されている。
【００２０】
右支持ロッドの前部には右側方ブラシ１０２が配置され、左支持ロッドの前部には左側方ブラシ１０３が配置され、上部支持ロッドの前部には上部ブラシ１０１が配置されている。
【００２１】
右支持ロッドの後部は右ギヤ１１１に接続され、左支持ロッドの後部は左ギヤ１１２に接続され、上部支持ロッドの後部は上部ギヤ１１３が接続されている。
【００２２】
装置１００は、電気的、機械的、または、液圧タイプであり得る１または複数の動力によって発生された回転動作の、前記左ギヤ１１２、右ギヤ１１１、および、上部ギヤ１１３への伝達の手段を更に含む。
【００２３】
装置１００が、長手方向軸の周りの回転動作を、回転と、同じ長手方向軸に垂直であって歯の長軸に平行な縦方向の振動の同時動作とへ変換するメカニズムから成るという事実によって、本発明の独自で特徴的な態様が与えられる。このようにして、右側方ブラシ１０２および左側方ブラシ１０３の両方が、回転とそれらの長手方向軸に対する縦振動の同時動作に従って動く。
【００２４】
とりわけ、図８および図９に示されるように、右支持ロッドおよび左支持ロッドの両方は、前部１３４および後部１３５を備えている。後部１３５の端１３７は、回転軸１４０に対して中心から外れた位置に配置された、それぞれのギヤ１３９に接続される。上述の右方向性チャネル１０５、１１０および左方向性チャネル１０６、１０９は、初めに、ノット１３３に達するまで収束１３８し、その後、縦方向に延びる出口開口１３１に達するまで徐々に拡散１３２する外形を有する。ギヤ１３９の回転動作は、それぞれのロッドの後部１３５からの円錐動作を、該ロッドの前部１３４の縦方向の振動動作に、節（knot）１３３において結合された中央部を通して伝達する。
【００２５】
それぞれのロッドの前部１３４の縦方向の振動動作は、縦方向に延びる出口開口１３１から出る端部１３６において生じ、これは、右側方ブラシ１０２および左側方ブラシ１０３にそれぞれ伝達される。
【００２６】
このようにして、右側方ブラシ１０２および左側方ブラシ１０３の両方は、それらの個々の長手方向軸の周りの回転動作、および、同じ長手方向軸に関して縦方向に振動する動作に従って同時に動く。
【００２７】
本発明の他の実施形態においては、前記左右の支持ロッドは、それぞれの前部１３４および後部１３５を含み、後部１３５の端１３７が回転軸１４０に対して中心の位置でそれぞれのギヤ１３９に接続される。前記右方向性チャネル１０５、１１０および左方向性チャネル１０６、１０９は、初めに、節１３３に達するまで収束１３８し、その後、縦方向に長い出口開口１３１に達するまで拡散１３２する円錐状の外形を有する。
【００２８】
前部１３４は、後部１３５に対して曲がっている。ギヤ１３９の回転動作は、それぞれのロッドの後部１３５からの回転動作を、該ロッドの前部１３４の縦方向の振動動作へ伝達する。前記それぞれのロッドの前部１３４の前記縦方向の振動動作は、縦方向に長い出口開口１３１から出る端部１３６で生じ、右側方ブラシ１０２および左側方ブラシ１０３に、それぞれ伝達される。
【００２９】
本発明の他の実施形態においては、上部ブラシ１０１もまた、その個々の長手方向軸の周りの回転動作、および、同じ長手方向軸に対する縦振動動作に従って同時に動く。この場合も、また、図８とおよび図９に示されるように、前記上部支持ロッドも、それぞれの前部１３４および後部１３５を含む。後部１３５の端１３７は、回転軸１４０に対して中心を外れた位置でそれぞれのギヤ１３９に接続する。前記上部方向性チャネルは、初めに、節１３３に達するまで収束１３８し、その後、縦方向に長い出口開口に達するまで拡散１３２する円錐状の外形を有する。ギヤ１３９の回転動作は、それぞれのロッドの後部１３５からの円錐動作を、該ロッドの前部１３４の縦方向の振動動作へ、節１３３に結合された中央部分を通して伝達する。それぞれのロッドの前部１３４の縦方向の振動動作は、縦方向に長い出口開口１３１から出る端部１３６において生じ、それぞれ上部ブラシ１０１に伝達される。このようにして、上部ブラシ１０１は、その個々の長手方向軸の周りの回転動作、および、同じ長手方向軸に対する縦振動動作に従って同時に動く。
【００３０】
図６および図７は、前記装置１００が、最初は近距離において、そして直接に、人の歯列の下側の弧の左側部分上に適用される様子を示す。
【００３１】
本発明によれば、前記右側方ブラシ１０２と左側方１０３との間の軸間距離は、適当な調整メカニズムを用いて適応的に変更可能であり、更に、上部ブラシ１０１と右側方ブラシ１０２または左側方ブラシ１０３との間の軸間距離もまた適当なメカニズムを用いて適応的に変更可能である。このようにして、装置１００は、様々の人の口腔の開口サイズに、そして、歯のサイズに適応し得る。
【００３２】
更に、それらの右方向性チャネル１０５、１１０および左方向性チャネル１０６、１０９にそれぞれ収容された、それらの右支持ロッドおよび左支持ロッドそれぞれと共に、前記右側方ブラシ１０２および左側方ブラシ１０３は、それらの長手方向軸に対して収束する方向に向けられる。したがって、装置１００は異なるサイズの歯を容易に捕えることができ、その結果、より効果的な歯のクリーニング作用を導くことができる。口内で小さい歯が大きい歯の後に続き、上記のメカニズム無しではブラシは小さな歯から遠ざけられるであろうという事実に鑑みると、前記各チャネルの柔軟性とそれらの軸の柔軟性（あるいは、前記右支持ロッドおよび左支持ロッドの柔軟性）が、それらを異なるサイズおよび形状に適応させることを可能にするので、前記チャネルの収束は効果的である。
【００３３】
本発明の複数の異なる実施形態によれば、前記右側方ブラシ１０２、左側方ブラシ１０３、および、上部ブラシ１０１は、１組の毛を有し、これらの毛は全てが同じ長さを有する場合もあり得、或いは、これらの一部が固定の長さを有し、他は異なる長さを有する場合もあり得る。これらの毛は、各列が隣接の列に対して互いに９０度または互いに３０度の角度を成す複数の列に沿って配列され得、或いは、各列が隣接の列に対して固定角を成す複数の列に沿って配列され得る。このようにして、装置１００は異なるレベルの処理を実行することができ、したがって、歯のクリーニング作用において様々のレベルの効果を達成することができる。
【００３４】
装置１００は、シールド１０４と呼ばれる放射状エレメントを更に有する。シールド１０４は、前記右側方ブラシ１０２、前記左側方ブラシ１０３、および、上部ブラシ１０１の周囲に延在し、また、開口した前部を有する。このようにして、装置１００は適切に動作し、同時に、口腔の内部の軟組織は、装置１００の前記回転および／または振動するブラシから保護され、軟組織がブラシに接触したり、ブラシを歯に押し付けたりすることにより、磨きメカニズムが影響を受けたり、失速したりすることが防止される。
【００３５】
前記右支持ロッド、左支持ロッド、および／または、上部支持ロッドは、例えば、高分子プラスチック材料またはハーモニック鋼（harmonic steel）のような、柔軟でかつ強い材料からなる。
【００３６】
このように、前記装置の前記ロッドには急速で強い力が作用するが、最小限の空間を占め、上記独自の振動動作が口の内部の利用可能な小さい空間に適応できるようにし、前記後部１３５の回転動作の前記前部１３４の振動動作への変換が効果的に成し遂げられる。なぜならば、振動を発生するのが同一の構造であり、したがって、如何なる付加的な部品が占める空間も存在しないからである。
【００３７】
他の実施形態によれば、前記縦方向に延びる開口１３１は、前記ロッドの端部１３６の幅より大きい水平方向幅を有することができる。その結果、その端部１３６は、前記縦方向の振動動作に加えて、水平方向の振動動作を生じ、この水平方向の振動動作は前記右側方ブラシ１０２および側方ブラシ１０３に伝達され、その結果、前記ブラシの磨き機能が水平方向および縦方向において増強され、歯のクリーニング動作において、より高いレベルの効果を達成することができる。
【００３８】
更にまた、装置１００は、洗浄液および／または歯のホワイトニングのための物質を容れるための複数のタンクと、この装置の前側へ向けて上記の液および／または物質を送る手段と、命令により、上記の液および／または物質を噴霧および／または押し出す手段とを含むことができる。このようにして、歯磨きに関して付加的な作用が提供される。この作用は前記洗浄液および／またはホワイトニング物質を含み、歯のクリーニング動作の更なる改善をもたらす。
【００３９】
こうして、上記の実施形態は、本発明が全ての期待される目的を達成することを示す。特に、本発明は、歯の表面の摩擦によって、より多くの側で同時に歯のクリーニングを行うために、回転動作、および／または、回転軸に対して垂直であって歯の軸と平行な振動動作を行う複数のブラシを有する装置を実現することを可能にする。前記複数のブラシは、電気的であるか、機械的であるか、液圧タイプのエンジンで動かされ、前記長手方向軸に関する回転動作を縦方向の振動動作に変換するメカニズムが含まれる。特に、前記右側方ブラシおよび左側方ブラシの両方は、前記長手方向軸に関する回転動作と、それらの長手方向軸に垂直な縦方向の振動動作とを同時に行う。
【００４０】
更にまた、本発明の１つの実施形態は、前記長手方向軸に関する回転動作と、それらの長手方向軸に垂直な縦方向の振動動作とを同時に行う上部ブラシを含む。
【００４１】
更に本発明によれば、前記装置内の前記複数のブラシは、前記複数の側方ブラシが歯のそれぞれの側部に配置され、前記上部ブラシが歯の上側部分の上に配置されるようにして、前記装置の前部を人の口腔内部へ挿入できる幾何学的形状および構成を有する。
【００４２】
それから、前記ブラシの収束のメカニズムは、異なるサイズの歯を容易に捕えることを可能にするので、歯のより効果的なクリーニング機能が達成され得る。
【００４３】
本発明によれば、前記右側方ブラシおよび前記左側方ブラシは、それらの長手方向軸に関して収束方向に向けられる。したがって、上記装置は異なるサイズの歯を容易に捕えることができ、その結果、より効果的な歯のクリーニング機能を有することができる。
【００４４】
更にまた、前記複数のブラシが、全てが同じ長さを有する毛を備えるか、または、一部の毛が特定の長さを有し、他の毛が異なる長さを有することができる。これらの毛は、９０度または３０度に向いた列で配置することができ、或いは、それぞれの列が隣接列に対して他の任意の角度で配置され得る。
【００４５】
それから、本発明の装置は、該装置の前記回転および／または振動するブラシから口腔内の軟組織を保護する。
【００４６】
更に、本発明によれば、前記右側方ブラシおよび前記左側方ブラシの両方が、前記長手方向軸に関する回転動作と、それらの長手方向軸に対して垂直な縦方向の振動動作と、それらの長手方向軸に対して垂直な水平方向の振動動作とを同時に行う。
【００４７】
最後に、前記装置は、歯磨き機能において効果のレベルを更に上昇させるために、歯に接触する複数のブラシの摩擦の作用と共働するための洗浄液および／または処理物質を容れ、配給し、吐出する手段を更に有する。
【００４８】
ここまで、幾つかの非限定的な例および幾つかの好適な実施形態を参照することによって本発明を記述した。しかし、言うまでもなく、同梱の特許請求の範囲に定義されているような関連する技術範囲から逸脱することなく様々の修正および／または変形が当業者によって導入され得たであろう。
【図１】
2018510720.tif 000003
【図２】
2018510720.tif 000004
【図３】
2018510720.tif 000005
【図４】
2018510720.tif 000006
【図５】
2018510720.tif 000007
【図６】
2018510720.tif 000008
【図７】
2018510720.tif 000009
【図８】
2018510720.tif 000010
【図９】
2018510720.tif 000011
【国際調査報告】
2018510720.tif 000012
2018510720.tif 000013
2018510720.tif 000014